(57)【要約】【課題】  油絵具の混色とパレット体外への流出を防止して油つぼを一体操作し、パレット２面を同様に使用できることを特徴とした携帯用パレットを提供する。【解決手段】  周壁を有するパレット体（２）、（３）と、該パレット体の一周壁部から互いのパレット体方向へ向かうように傾斜を設けて並列された複数の絵具収納部（９ａ）、（９ｂ）と、前記パレット体底面で前記収納部の反対側に設けられた指穴（５ａ）、（５ｂ）とにより構成され、前記絵具収納部（９ａ）、（９ｂ）は立てた状態で分配した絵具どうしが混合しないように各絵具収納部に絵具を注出するものであることを特徴とする携帯用パレット。【選択図】図１
2007216659.tif 000002
【特許請求の範囲】
【請求項１】
周壁を有するパレット体と、該パレット体の一周壁部から互いのパレット体方向へ向かうように傾斜を設けて並列された複数の絵具収納部と、前記パレット体底面で前記収納部の反対側に設けられた指穴とにより構成され、前記絵具収納部は立てた状態で分配した絵具が混合しないように各絵具収納部に絵具を注出するものであることを特徴とする携帯用パレット。
【請求項２】
パレット体底面に油つぼを取りつけるための切削部を周壁に設け、油つぼ取りつけ部としたことを特徴とする請求項１記載の携帯用パレット。
【請求項３】
各々のパレット体が、互いのパレット体の蓋を兼用するものであることを特徴とする請求項１または請求項２記載の携帯用パレット。
【発明の詳細な説明】
【技術分野】
【０００１】  本発明は、油絵具の混色と、パレット体外への流出を防止して、油つぼを一体操作し、パレット２面を同様に使用できることを特徴とした携帯用パレットに関するものである。
【背景技術】
【０００２】  従来、油絵のレッスンに通う場合のパレットは、木製の２ツ折型または紙パレットを使用していた。
【発明の開示】
【発明が解決しようとする課題】
【０００３】  市販の木製２ツ折パレットは、携帯時絵具が混色し、また、パレット体外への流出を防止できない。
紙パレットは、その場限りの使い捨てなので、残った絵具を捨てることになりかつ、野外での使用時は風で飛ぶことが多く不便である。
【課題を解決するための手段】
【０００４】  周壁を有するパレット体と、該パレット体の一周壁部から互いのパレット体方向へ向かうように傾斜を設けて並列された複数の絵具収納部と、前記パレット体底面で前記収納部の反対側に設けられた指穴とにより構成され、前記絵具収納部は、立てた状態で分配した絵具が混合しないように各絵具収納部に絵具を注出するものであることを特徴とする携帯用パレットである。
【発明の効果】
【０００５】  以上により、２面のパレット体を閉じ合わせ絵具収納部を下にして上部指穴を持ち手として携帯することにより、絵具の混色とパレット体外への流出を防止し、使用時は油つぼを一体操作してパレット２面を使用することができる。
【発明を実施するための最良の形態】
【０００６】  以下、本発明の実施の形態について図１〜図１４を用いて説明する。
図１〜図３は本発明を閉じて立設させた状態で異なる方向から見たものである。
図に示すように、左右対称の一対のパレット体（２）、（３）が蝶番（１３）で開閉可能に連接され、閉じた状態で固定する固定手段として止め金（１１）と止め受け部（１０）が上下にそれぞれ一対設けられている。
図５は本発明を開いた状態で内部を示す斜視図である。
右パレット体（２）の周縁には左パレット体（３）の周壁内部に密となる状態で嵌合する大きさ形状の嵌合部（１２）が延設されている。
図５のように本発明を立てた状態で内部下部には絵具収納部（９ａ）、（９ｂ）が複数隣接されている。
この絵具収納部（９ａ）、（９ｂ）は開口部が斜めに切断された状態に近い略筒状で、底は丸くポット状になっていて（図９、図１０参照）、パレット面と連続して絵具がこの絵具収納部（９ａ）、（９ｂ）に分配あるいは刷きだせるようになっている。
絵具収納部と相対する辺側の周壁で蝶番（１３）寄りの位置はパレット面まで切削部（６ａ）、（６ｂ）となっている。
この際、切削幅は任意の油壷および油壷取り付け部（７ａ）、（７ｂ）にあわせて取り付けるのに必要な幅となっている。
また、パレット面の切削部（６ａ）、（６ｂ）より下位置には、指を挿入できる指穴（５ａ）、（５ｂ）が設けられている。
この際切削部と指穴間の長さは、指穴に指をいれてパレット全体を保持するために必要なものとなっている。
本発明は以上の構成よりなる。
以下、その使用方法について説明する。
（イ）本発明は、図１〜図４のように、右パレット体（２）と左パレット体（３）より構成される。
（ロ）図５、図６のように、右パレット体（２）と左パレット体（３）は対称形になっていて、蝶番（１３）と止メ受け部（１０）止メ金（１１）を介して図１〜図４のように一つの箱型となる。
（ハ）図５、図６のように、右パレット体（２）は絵具受け板（４ａ）指穴（５ａ）油つぼ取付部（７ａ）絵具収納部（９ａ）嵌合部（１２）止メ受け部（１０）、切削部（６ａ）より構成される。
絵具受け板（４ａ）は、図１４に示すように絵具を置き、配色するのに使用する。
指穴（５ａ）は、図１２のように親指を差し込んで油つぼ取付部（７ａ）と共にパレットを持つ時に使用し、また、図１３のように携帯時は持ち手として利用できる。
油つぼ取付部（７ａ）は、図１２に示すように親指を差し込む時、指穴（５ａ）と共に使用する。
その時油つぼは、油つぼ取付部（７ｂ）に差し込んで使用する。
絵具収納部（９ａ）は、図５と図９のＡ−Ａが示すように絵具の個々の色が混色せず、携帯時絵具が流出するのを防止するためのポット状である。
嵌合部（１２）は、左パレット（３）をかぶせ閉じる時の受け部である。
図４止メ受け部（１０）は、左パレット（３）の止メ金（１１）と合わせ閉じる時に使用する。
切削部（６ａ）は、油つぼ取付部（７ａ）を設定するために切り込まれた部位である。
（ニ）図５、図６のように左パレット体（３）は、絵具受け板（４ｂ）指穴（５ｂ）油つぼ取付部（７ｂ）絵具収納部（９ｂ）止メ金（１１）切削部（６ｂ）より構成される
絵具受け板（４ｂ）は、図１４に示すように絵具を置き配色するのに使用する。
指穴（５ｂ）は図１１のように親指を差し込んで油つぼ取付部（７ｂ）と共にパレットを持つ時に使用し、また、図１３のように携帯時は持ち手として利用できる。
油つぼ取付部（７ｂ）は図１１に示すように親指を差し込む時指穴（５ｂ）と共に使用する
その時、油つぼは油つぼ取付部（７ａ）に差し込んで使用する
絵具収納部（９ｂ）は、図５と図１０のＢ−Ｂが示すように絵具の個々の色が混色せず、携帯時、絵具がパレット体の外へ流出するのを防止するためのポット状である。
図４止メ金（１１）は、右パレット体（２）の止メ受け部（１０）にかぶせ止める。
切削部（６ｂ）は、油つぼ取付部（７ｂ）を設定するために切り込まれた部位である。
（ホ）図７は、図６のＣ−Ｃを示している。
図８は、図６のＤ−Ｄを示している。
（ヘ）図１１〜図１４は、本発明のパレットを使用、携帯する時の使用方法を示している。
【図面の簡単な説明】
【０００７】
【図１】  本発明の斜視図
【図２】  本発明の斜視図
【図３】  本発明の斜視図
【図４】  本発明の斜視図
【図５】  本発明の開いた状態を示した斜視図
【図６】  本発明の開いた状態を示した斜視図
【図７】  本発明のＣ−Ｃ断面図
【図８】  本発明の絵具収納部を切削部から見た開いた状態を示した平面図
【図９】  本発明の絵具収納部を示した要部拡大断面図
【図１０】  本発明の絵具収納部を示した要部拡大断面図
【図１１】  本発明の使用状態を示した説明図
【図１２】  本発明の使用状態を示した説明図
【図１３】  本発明の携帯する時の説明図
【図１４】  本発明の使用状態を示した説明図
【符号の説明】
【０００８】  １  パレット
２  右パレット体
３  左パレット体
４；４ａ；４ｂ；絵具受け板
５；５ａ；５ｂ；指穴
６；６ａ；６ｂ；切削部
７；７ａ；７ｂ；油つぼ取付部
９；９ａ；９ｂ；絵具収納部
１０  止メ受部
１１  止メ金
１２  嵌合部
１３  蝶番
１４  油つぼ
１５  筆
１６  絵具
１７  作業机
【図１】
2007216659.tif 000003
【図２】
2007216659.tif 000004
【図３】
2007216659.tif 000005
【図４】
2007216659.tif 000006
【図５】
2007216659.tif 000007
【図６】
2007216659.tif 000008
【図７】
2007216659.tif 000009
【図８】
2007216659.tif 000010
【図９】
2007216659.tif 000011
【図１０】
2007216659.tif 000012
【図１１】
2007216659.tif 000013
【図１２】
2007216659.tif 000014
【図１３】
2007216659.tif 000015
【図１４】
2007216659.tif 000016